(57)【要約】【課題】異なる周波数帯域を使用する子器や副親機も使用可能として使い勝手を向上する。【解決手段】親機１にアナログ伝送方式の子器及び副親機との間で音声信号（第２の音声信号）及び制御信号（第２の制御信号）を伝送するための構成、すなわち、多重分離部８０1〜８０3，８２，切換部８１，２線４線変換部８３，Ａ／Ｄ変換部８４を備えている。故に第１の音声信号及び第１の制御信号を伝送する子器２や副親機４だけでなく、第１の音声信号及び第１の制御信号を伝送する周波数帯域（第２の周波数帯域）と異なる周波数帯域（第３の周波数帯域）で第２の音声信号及び第２の制御信号を伝送する子器や副親機も使用可能として使い勝手を向上することができる。【選択図】図１
2009302855.tif 000002
【特許請求の範囲】
【請求項１】
住戸外に設置される１乃至複数の子器と、住戸内に設置されて伝送路を介して子器と接続される親機と、住戸内に設置されて伝送路を介して親機と接続される１乃至複数の副親機とで構成され、子器から親機へ伝送路を介して映像信号が伝送されるとともに子器と親機との間で伝送路を介して音声信号が双方向に伝送され、親機から副親機へ伝送路を介して映像信号が伝送されるとともに親機と副親機との間で伝送路を介して音声信号が双方向に伝送され、且つ映像信号と音声信号とが共通の伝送路を介して周波数分割多重伝送されるインターホンシステムにおいて、
親機は、音声を入力する音声入力手段と、音声を出力する音声出力手段と、映像を表示する映像表示手段と、第１の周波数帯域で映像信号を伝送する映像信号伝送手段と、第１の周波数帯域と異なる第２の周波数帯域で音声信号を伝送する第１の音声信号伝送手段と、第１及び第２の周波数帯域と異なる第３の周波数帯域で音声信号を伝送する第２の音声信号伝送手段とを備えたことを特徴とするインターホンシステム。
【請求項２】
親機と子器及び親機と副親機との間で制御信号が伝送され、
親機は、第４の周波数帯域で制御信号を伝送する第１の制御信号伝送手段と、第４の周波数帯域と異なる第５の周波数帯域で制御信号を伝送する第２の制御信号伝送手段とを備えたことを特徴とする請求項１記載のインターホンシステム。
【請求項３】
親機は、伝送路を介して子器又は副親機の少なくとも何れか一方に対して直流電源を供給する給電手段を備えたことを特徴とする請求項２記載のインターホンシステム。
【請求項４】
親機は、映像信号伝送手段及び第１の音声信号伝送手段と伝送路の間に設けられて各伝送手段から送出される映像信号及び音声信号を周波数多重するとともに子器若しくは副親機より伝送路を介して伝送される映像信号及び音声信号を周波数分離する多重分離手段を備え、
映像信号伝送手段は、映像信号を送信する映像信号送信部と、映像信号を受信する映像信号受信部とを有し、
第１の音声信号伝送手段は、音声信号を送信する音声信号送信部と、音声信号を受信する音声信号受信部とを有し、
多重分離手段は、一端側が伝送路と接続され他端側が音声信号送信部及び音声信号受信部に共通接続された第１の干渉防止フィルタと、音声信号送信部と音声信号受信部の接続点と音声信号受信部との間に設けられて音声信号を分離する音声信号分離フィルタと、音声信号送信部と音声信号受信部の接続点と音声信号送信部との間に設けられた第１の可変インピーダンス素子と、一端側が伝送路と接続され他端側が映像信号送信部及び映像信号受信部に共通接続された第２の干渉防止フィルタと、映像信号送信部と映像信号受信部の接続点と映像信号受信部との間に設けられて映像信号を分離する映像信号分離フィルタと、映像信号送信部と映像信号受信部の接続点と映像信号送信部との間に設けられた第２の可変インピーダンス素子と、音声信号送信部が音声信号を送信しているときに第１の可変インピーダンス素子のインピーダンスを伝送路の特性インピーダンス以下とし、映像信号送信部が映像信号を送信しているときに第２の可変インピーダンス素子のインピーダンスを伝送路の特性インピーダンス以下とし、音声信号受信部が音声信号を受信しているときに第１の可変インピーダンス素子のインピーダンスを伝送路の特性インピーダンスよりも高くし、映像信号受信部が映像信号を受信しているときに第２の可変インピーダンス素子のインピーダンスを伝送路の特性インピーダンスよりも高くするインピーダンス制御手段とを有することを特徴とする請求項２又は３記載のインターホンシステム。
【発明の詳細な説明】
【技術分野】
【０００１】
本発明は、伝送路を介して音声信号と映像信号とを周波数分割多重伝送するインターホンシステムに関するものである。
【背景技術】
【０００２】
この種のインターホンシステムとして、２線式の信号線からなる伝送路を介して音声信号と映像信号と制御信号とをディジタル変調して周波数分割多重伝送するものが提案されている（例えば、特許文献１参照）。
【特許文献１】特開２００７−１７４５７８号公報（実施形態２参照）
【発明の開示】
【発明が解決しようとする課題】
【０００３】
ところで、アナログ伝送方式（少なくとも音声信号をディジタル変調せずに伝送する方式。以下同じ。）のインターホンシステムから上述のディジタル伝送方式のインターホンシステムへリニューアルする場合、アナログ伝送方式のインターホンシステムとディジタル伝送方式のインターホンシステムとでは音声信号、映像信号、制御信号の各信号を周波数分割多重伝送する際の周波数帯域が異なっているために、アナログ伝送方式のインターホンシステムを構成する子器や副親機をそのままディジタル伝送方式のインターホンシステムに組み込むことができなかった。
【０００４】
本発明は上記事情に鑑みて為されたものであり、その目的は、異なる周波数帯域を使用する子器や副親機も使用可能として使い勝手を向上したインターホンシステムを提供することにある。
【課題を解決するための手段】
【０００５】
請求項１の発明は、上記目的を達成するために、住戸外に設置される１乃至複数の子器と、住戸内に設置されて伝送路を介して子器と接続される親機と、住戸内に設置されて伝送路を介して親機と接続される１乃至複数の副親機とで構成され、子器から親機へ伝送路を介して映像信号が伝送されるとともに子器と親機との間で伝送路を介して音声信号が双方向に伝送され、親機から副親機へ伝送路を介して映像信号が伝送されるとともに親機と副親機との間で伝送路を介して音声信号が双方向に伝送され、且つ映像信号と音声信号とが共通の伝送路を介して周波数分割多重伝送されるインターホンシステムにおいて、親機は、音声を入力する音声入力手段と、音声を出力する音声出力手段と、映像を表示する映像表示手段と、第１の周波数帯域で映像信号を伝送する映像信号伝送手段と、第１の周波数帯域と異なる第２の周波数帯域で音声信号を伝送する第１の音声信号伝送手段と、第１及び第２の周波数帯域と異なる第３の周波数帯域で音声信号を伝送する第２の音声信号伝送手段とを備えたことを特徴とする。
【０００６】
請求項１の発明によれば、第１及び第２の周波数帯域と異なる第３の周波数帯域で音声信号を伝送する第２の音声信号伝送手段を親機に備えているので、第２の周波数帯域で音声信号を伝送する子器や副親機だけでなく、第３の周波数帯域で音声信号を伝送する子器や副親機も使用可能として使い勝手が向上する。
【０００７】
請求項２の発明は、請求項１の発明において、親機と子器及び親機と副親機との間で制御信号が伝送され、親機は、第４の周波数帯域で制御信号を伝送する第１の制御信号伝送手段と、第４の周波数帯域と異なる第５の周波数帯域で制御信号を伝送する第２の制御信号伝送手段とを備えたことを特徴とする。
【０００８】
請求項２の発明によれば、第４の周波数帯域と異なる第５の周波数帯域で制御信号を伝送する第２の制御信号伝送手段を親機に備えているので、第５の周波数帯域で制御信号を伝送する子器や副親機も使用可能として使い勝手がさらに向上する。
【０００９】
請求項３の発明は、請求項２の発明において、親機は、伝送路を介して子器又は副親機の少なくとも何れか一方に対して直流電源を供給する給電手段を備えたことを特徴とする。
【００１０】
請求項３の発明によれば、親機から子器や副親機に給電することで子器や副親機に別途電源が不要となるために使い勝手がさらに向上する。
【００１１】
請求項４の発明は、請求項２又は３の発明において、親機は、映像信号伝送手段及び第１の音声信号伝送手段と伝送路の間に設けられて各伝送手段から送出される映像信号及び音声信号を周波数多重するとともに子器若しくは副親機より伝送路を介して伝送される映像信号及び音声信号を周波数分離する多重分離手段を備え、映像信号伝送手段は、映像信号を送信する映像信号送信部と、映像信号を受信する映像信号受信部とを有し、第１の音声信号伝送手段は、音声信号を送信する音声信号送信部と、音声信号を受信する音声信号受信部とを有し、多重分離手段は、一端側が伝送路と接続され他端側が音声信号送信部及び音声信号受信部に共通接続された第１の干渉防止フィルタと、音声信号送信部と音声信号受信部の接続点と音声信号受信部との間に設けられて音声信号を分離する音声信号分離フィルタと、音声信号送信部と音声信号受信部の接続点と音声信号送信部との間に設けられた第１の可変インピーダンス素子と、一端側が伝送路と接続され他端側が映像信号送信部及び映像信号受信部に共通接続された第２の干渉防止フィルタと、映像信号送信部と映像信号受信部の接続点と映像信号受信部との間に設けられて映像信号を分離する映像信号分離フィルタと、映像信号送信部と映像信号受信部の接続点と映像信号送信部との間に設けられた第２の可変インピーダンス素子と、音声信号送信部が音声信号を送信しているときに第１の可変インピーダンス素子のインピーダンスを伝送路の特性インピーダンス以下とし、映像信号送信部が映像信号を送信しているときに第２の可変インピーダンス素子のインピーダンスを伝送路の特性インピーダンス以下とし、音声信号受信部が音声信号を受信しているときに第１の可変インピーダンス素子のインピーダンスを伝送路の特性インピーダンスよりも高くし、映像信号受信部が映像信号を受信しているときに第２の可変インピーダンス素子のインピーダンスを伝送路の特性インピーダンスよりも高くするインピーダンス制御手段とを有することを特徴とする。
【００１２】
請求項４の発明によれば、音声信号送信部及び映像信号送信部がそれぞれ音声信号及び映像信号を送信するときにインピーダンス制御手段が当該送信部に接続されている可変インピーダンス素子のインピーダンスを伝送路の特性インピーダンス以下とするので、当該送信部と接続されている第１及び第２の干渉防止フィルタの特性が急峻となって他の信号の周波数帯域への干渉を防ぐことができるために音声信号送信部及び映像信号送信部には信号分離用のフィルタが不要となって回路規模やコストの増大を抑えることができ、また、音声信号受信部及び映像信号受信部がそれぞれ音声信号及び映像信号を受信するときにインピーダンス制御手段が当該受信部に接続されている可変インピーダンス素子のインピーダンスを伝送路の特性インピーダンスよりも高くすることで信号の減衰を抑えることができる。その結果、回路規模やコストの増大並びに信号の減衰を抑えつつ音声信号と映像信号を周波数分割多重伝送することができる。
【発明の効果】
【００１３】
本発明によれば、第２の周波数帯域で音声信号を伝送する子器や副親機だけでなく、第３の周波数帯域で音声信号を伝送する子器や副親機も使用可能として使い勝手が向上する。
【発明を実施するための最良の形態】
【００１４】
以下、本発明を戸建て住戸向けのインターホンシステムに適用した実施形態について図面を参照して詳細に説明する。
【００１５】
本実施形態のインターホンシステムは、図２に示すように住戸内に設置されるインターホン親機（以下、「親機」と略す。）１と、住戸外に設置される複数台（図示例では３台）のドアホン子器２Ａ，２Ｂ，２Ｃと、同じく住戸外に設置される複数台（図示例では３台）のカメラ子器３Ａ，３Ｂ，３Ｃと、住戸内に設置される複数台（図示例では４台）のインターホン副親機（以下、「副親機」と略す。）４Ａ，４Ｂ，４Ｃ，４Ｄとを備え、ドアホン子器２Ａとカメラ子器３Ａとが平衡２線式の伝送路Ｌｓ１で親機１に送り接続され、ドアホン子器２Ｂとカメラ子器３Ｂとが平衡２線式の伝送路Ｌｓ２で親機１に送り接続され、ドアホン子器２Ｃとカメラ子器３Ｃとが平衡２線式の伝送路Ｌｓ３で親機１に送り接続され、副親機４Ａ〜４Ｄが平衡２線式の伝送路Ｌｓ４で親機１に送り接続されて構成されている。
【００１６】
ドアホン子器２Ａ〜２Ｃは何れも共通の構成を有するものであって、マイクロホン２０ａ並びにスピーカ２０ｂと、マイクロホン２０ａから出力する音声信号を符号化し且つ相対的に低い周波数帯域でディジタル変調するとともに伝送路Ｌｓ１，Ｌｓ２，Ｌｓ３を介して伝送される変調された音声信号をディジタル復調し且つ復号してスピーカ２０ｂから音声を鳴動させる音声信号処理部２０と、ＣＣＤやＣＭＯＳ等の固体撮像素子とレンズ等の光学系を有し来訪者を撮像するカメラ部２１と、カメラ部２１から出力する映像信号を符号化し且つ音声信号よりも相対的に高い周波数帯域でディジタル変調するとともに変調された映像信号を伝送路Ｌｓ１，…を介して伝送する映像信号伝送部２２と、音声信号処理部２０から出力する音声信号と映像信号伝送部２２から出力する映像信号を周波数多重化して伝送路Ｌｓ１，Ｌｓ２，Ｌｓ３に送出するとともに、伝送路Ｌｓ１，Ｌｓ２，Ｌｓ３を介して親機１や副親機４Ａ〜４Ｄから伝送される音声信号を分離する多重分離部２３と、伝送路Ｌｓ１，Ｌｓ２，Ｌｓ３を介して呼出信号を送信する呼出信号送信部２４と、マイコンを主構成要素とし全体の動作制御を行う制御部２５と、呼出釦（図示せず）の操作入力を受け付けて制御部２５に対して操作信号を出力する操作入力受付部２６と、後述するように伝送路Ｌｓ１，Ｌｓ２，Ｌｓ３を介して親機１の給電部８６（後述する）から給電される電力で各部の動作電源を作成する電源部２７とを備えている。
【００１７】
親機１からドアホン子器２Ａ〜２Ｃへの給電電圧（直流電圧）は、ドアホン子器２Ａ，…が通話状態あるいはモニタ状態（後述する）の何れでもないときはシステムの低消費電力化を図るために相対的に低い状態とされ、通話状態やモニタ状態では相対的に高い状態とされる。以下、給電電圧の低い状態のことを待機給電状態と呼び、給電電圧の高い状態のことを動作給電状態と呼ぶ。ドアホン子器２Ａ〜２Ｃにおいては、待機給電状態にあるときは制御部２５のマイコンがスタンバイ状態で操作入力受付部２６から操作信号が出力されるのを待っており、呼出釦が操作されて操作入力受付部２６から操作信号が出力されると、制御部２５は呼出信号送信部２４を制御して、伝送路Ｌｓ１，…の線間電圧を待機給電状態よりもさらに低い電圧に低下させることで親機１に呼出信号を伝送する。そして、呼出信号を受信した親機１が給電電圧を待機給電状態から動作給電状態に移行すると、制御部２５のマイコンがスタンバイ状態から通常状態に復帰し、カメラ部２１並びに映像信号伝送部２２を起動して映像信号を伝送路Ｌｓ１，…を介して親機１に送信するとともに音声信号処理部２０を起動して音声信号の送受、すなわち、通話が可能な状態となる。また、後述するように親機１においてドアホン子器２Ａ，…をモニタ状態とする操作入力が受け付けられることで給電電圧を待機給電状態から動作給電状態に移行した場合、制御部２５のマイコンがスタンバイ状態から通常状態に復帰し、カメラ部２１並びに映像信号伝送部２２を起動して映像信号を伝送路Ｌｓ１，…を介して親機１に送信することでドアホン子器２Ａ，…のカメラ部２１で撮像した映像を親機１でモニタできるようになっている。
【００１８】
カメラ子器３Ａ〜３Ｃは何れも共通の構成を有するものであって、ＣＣＤやＣＭＯＳ等の固体撮像素子とレンズ等の光学系を有し監視領域を撮像するカメラ部３０と、カメラ部３０から出力する映像信号を音声信号よりも高い周波数で周波数変調するとともに周波数変調された映像信号を伝送路Ｌｓ１，…を介して伝送する映像信号伝送部３１と、親機１との間で伝送路Ｌｓ１，…を介して制御信号を伝送する制御信号伝送部３２と、人体から放射される熱線を焦電素子で検知することにより監視領域における人の存在を検出して人体検出信号を出力する人体検出部３３と、マイコンを主構成要素とし全体の動作制御を行う制御部３４とを備えている。但し、カメラ子器３Ａ〜３Ｃの動作電源は、図示しない電源回路によって商用電源から作成される。
【００１９】
制御信号伝送部３２は、音声信号よりも充分に低い周波数の搬送波を利用した周波数偏移変調（ＦＳＫ）方式で制御信号を伝送している。また、カメラ子器３Ａ〜３Ｃでは、図示しないディップスイッチによって固有のＩＤが割り当てられており、このＩＤを制御信号の送信先あるいは送信元のアドレスとすることで親機１と各カメラ子器３Ａ〜３Ｃとの間で個別に制御信号を授受するようになっている。
【００２０】
カメラ子器３Ａ〜３Ｃでは、人体検出部３３から出力される人体検出信号を受け取った制御部３４がカメラ部３０並びに映像信号伝送部３１を起動して監視領域を撮像した映像信号を伝送路Ｌｓ１，…を介して親機１に伝送し、あるいは、映像信号の送信を要求する制御信号を受け取ったときに制御部３４がカメラ部３０並びに映像信号伝送部３１を起動して監視領域を撮像した映像信号を伝送路Ｌｓ１，…を介して親機１に伝送するようになっている。
【００２１】
一方、親機１は、マイクロホン１０ａ並びにスピーカ１０ｂと、マイクロホン１０ａから出力する音声信号を符号化し且つ相対的に低い周波数帯域でディジタル変調するとともに伝送路Ｌｓ１，Ｌｓ２，Ｌｓ３を介して伝送される変調された音声信号をディジタル復調し且つ復号してスピーカ１０ｂから音声を鳴動させる音声信号処理部１０と、液晶ディスプレイなどの表示デバイスを有するモニタ部１１と、伝送路Ｌｓ１，…を介して伝送される変調された映像信号をディジタル復調し且つ復号してモニタ部１１に表示させるとともに予め用意された画面データに基づいた種々の映像をモニタ部１１に表示させる映像信号処理部１２と、伝送路Ｌｓ１，…の線間電圧を監視してドアホン子器２Ａ，…から送信される呼出信号を受信する呼出信号受信部１３と、カメラ子器３Ａ〜３Ｃ並びに副親機４Ａ〜４Ｄとの間でＦＳＫ方式により制御信号を伝送する制御信号伝送部１４と、音声信号、映像信号、制御信号を周波数多重化するとともに分離する多重分離部１５と、複数の押釦スイッチ（図示せず）並びにモニタ部１１が有する液晶ディスプレイの画面上に配設されるタッチパネル（図示せず）を具備して操作入力を受け付けるとともに受け付けた操作入力に対応した操作信号を出力する操作入力受付部１６と、マイコンを主構成要素とし全体の動作制御を行う制御部１７とを備えている。なお、図示はしていないが、商用電源から各部の動作電源を作成する電源回路も備えている。
【００２２】
既に説明したように、例えばドアホン子器２Ａから送信された呼出信号を呼出信号受信部１３で受信すると、親機１の制御部１７が当該ドアホン子器２Ａへの給電電圧を待機給電状態から動作給電状態へ移行させるとともに音声信号処理部１０を制御してスピーカ１０ｂから呼出音を鳴動させる。一方、ドアホン子器２Ａでは制御部２５のマイコンがスタンバイ状態から通常状態に復帰し、カメラ部２１並びに映像信号伝送部２２を起動して映像信号を伝送路Ｌｓ１，…を介して親機１に送信するとともに音声信号処理部２０を起動する。親機１では、ドアホン子器２Ａから伝送されてくる映像信号を映像信号処理部１２で信号処理してモニタ部１１に来訪者の映像を表示し、呼出音を聞いた住戸人がモニタ部１１に表示されている来訪者の映像を見て押釦スイッチからなる通話釦（図示せず）を押操作すれば、操作入力受付部１６から操作信号が出力され、当該操作信号を受け取った制御部１７が音声信号処理部１０を起動してドアホン子器２Ａとの間で伝送路Ｌｓ１を介して音声信号を授受することにより来訪者と住戸人とが通話できる。
【００２３】
また、何れかのカメラ子器（例えば、カメラ子器３Ａ）において監視領域に人の存在が検出されると、人体検出部３３から出力された人体検出信号を受け取った制御部３４がカメラ部３０並びに映像信号伝送部３１を起動して監視領域を撮像した映像信号を伝送路Ｌｓ１を介して親機１に伝送する。親機１では、カメラ子器３Ａから伝送されてくる映像信号を映像信号処理部１２で信号処理してモニタ部１１に監視領域の映像を表示する。さらに、カメラ子器３Ａから伝送されてくる映像を表示しているときに何れかのドアホン子器２Ａ，…から送信された呼出信号を受信した場合、若しくはドアホン子器２Ａ，…との通話中にカメラ子器３Ａ，…から映像信号が伝送されてきた場合、制御部１７は映像信号処理部１２に信号処理させて、これら２つの映像をモニタ部１１の画面に同時に表示させる。
【００２４】
ここで、親機１では３系統の伝送路Ｌｓ１，Ｌｓ２，Ｌｓ３に対して映像信号を受信して信号処理する映像信号処理部１２を一つしか持たないので、映像信号同士の衝突を回避するために時分割多重伝送方式を採用している。すなわち、親機１の映像信号処理部１２から映像信号と同じ周波数帯域でディジタル変調された映像同期信号（以下、「同期信号」と略す。）を伝送路Ｌｓ１，Ｌｓ２，Ｌｓ３に送出し、当該同期信号によって規定される複数のタイムスロットにドアホン子器２Ａ〜２Ｃ並びにカメラ子器３Ａ〜３Ｃを個別に割り当て、それぞれの子器２Ａ〜２Ｃ，３Ａ〜３Ｃが自器に割り当てられたタイムスロットで映像信号（映像データを含むパケット）を送信し、親機１の映像信号処理部１２において各タイムスロットで受信し且つディジタル復調した映像信号から元の映像を再構成してモニタ部１１に表示させている。但し、時分割多重伝送の詳細については従来周知であるから説明を省略する。
【００２５】
副親機４Ａ〜４Ｄは何れも共通の構成を有するものであって、マイクロホン４０ａ並びにスピーカ４０ｂと、マイクロホン４０ａから出力する音声信号を符号化し且つ相対的に低い周波数帯域でディジタル変調するとともに伝送路Ｌｓ４を介して伝送される音声信号をディジタル復調し且つ復号してスピーカ４０ｂから音声を鳴動させる音声信号処理部４０と、液晶ディスプレイなどの表示デバイスを有するモニタ部４１と、親機１から送信される同期信号を受信するとともに親機１を介して伝送される変調された映像信号をディジタル復調し且つ復号してモニタ部４１に表示させ、且つ予め用意された画面データに基づいた種々の映像をモニタ部４１に表示させる映像信号処理部４２と、親機１との間でＦＳＫ方式により制御信号を伝送する制御信号伝送部４３と、音声信号、映像信号、制御信号を周波数多重化するとともに分離する多重分離部４４と、複数の押釦スイッチ（図示せず）並びにモニタ部４１が有する液晶ディスプレイの画面上に配設されるタッチパネル（図示せず）を具備して操作入力を受け付けるとともに受け付けた操作入力に対応した操作信号を出力する操作入力受付部４５と、マイコンを主構成要素とし全体の動作制御を行う制御部４６とを備えている。なお、各副親機４Ａ〜４Ｄには、図示しないディップスイッチによって固有のＩＤ（カメラ子器３Ａ〜３ＣのＩＤとも異なるＩＤ）が割り当てられており、このＩＤを制御信号の送信先あるいは送信元のアドレスとすることで親機１と各副親機４Ａ〜４Ｄとの間で個別に制御信号を授受するようになっている。
【００２６】
ここで、親機１ではドアホン子器２Ａ，…から呼出信号を受け取ったときに副親機４Ａ〜４Ｄに対してドアホン子器２Ａ，…からの呼出（以下、「ドアホン呼出」と呼ぶ。）を通知するための制御信号を送信し、また、後述するように親機１と副親機４Ａ〜４Ｄとの間で１対１又は１対多の内線通話を行うための操作が行われたときに副親機４Ａ〜４Ｄに対して呼出（以下、「内線呼出」と呼ぶ。）を通知するための制御信号を送信する。副親機４Ａ，…では、親機１から送信されたドアホン呼出の制御信号を制御信号伝送部４３で受信すると、制御部４６が音声信号処理部４０を制御してスピーカ４０ｂから呼出音を鳴動させるとともに、ドアホン子器２Ａ，…から親機１を経由して伝送されてくる映像信号を映像信号処理部４２で信号処理（ディジタル復調及び復号）してモニタ部４１に来訪者の映像を表示し、呼出音を聞いた住戸人がモニタ部４１に表示されている来訪者の映像を見て押釦スイッチからなる通話釦（図示せず）を押操作すれば、操作入力受付部４５から操作信号が出力され、当該操作信号を受け取った制御部４６が音声信号処理部４０を起動してドアホン子器２Ａ，…との間で伝送路Ｌｓ１〜Ｌｓ３，Ｌｓ４を介して音声信号を授受することにより来訪者と住戸人とが通話できる。あるいは、親機１から送信された内線呼出の制御信号を制御信号伝送部４３で受信すると、副親機４Ａ，…の制御部４６が音声信号処理部４０を制御してスピーカ４０ｂから呼出音を鳴動させ、呼出音を聞いた住戸人が押釦スイッチからなる通話釦（図示せず）を押操作すれば、操作入力受付部４５から操作信号が出力され、当該操作信号を受け取った制御部４６が音声信号処理部４０を起動して副親機４Ａ，…との間で伝送路Ｌｓ１〜Ｌｓ３，Ｌｓ４を介して音声信号を授受することにより住戸人同士が通話（内線通話）できる。
【００２７】
ここで、親機１並びに副親機４Ａ〜４Ｄでは、何れかのドアホン子器２Ａ〜２Ｃ又はカメラ子器３Ａ〜３Ｃを選択して当該選択した子器に映像信号を伝送させてモニタ部１１，４１に映像を表示させる機能（映像モニタ機能）を有している。例えば、ドアホン子器２Ｃの映像モニタを行う場合、親機１の制御部１７は、当該ドアホン子器２Ｃへの給電電圧を待機給電状態から動作給電状態に移行するとともに、映像信号処理部１２より伝送路Ｌｓ３を介して同期信号を送信する。その結果、ドアホン子器２Ｃの制御部２５のマイコンがスタンバイ状態から通常状態に復帰し、カメラ部２１並びに映像信号送信部２２を起動して映像信号を自器のタイムスロットで伝送路Ｌｓ３を介して親機１に送信することでドアホン子器２Ｃのカメラ部２１で撮像した映像を親機１のモニタ部１１に表示して映像モニタを行うことができる。あるいは、カメラ子器３Ｃの映像モニタを行う場合、親機１の制御部１７は、当該カメラ子器３Ｃに対して映像信号の伝送を要求する指令を含む制御信号を制御信号伝送部１４から伝送させるとともに、映像信号処理部１２より伝送路Ｌｓ３を介して同期信号を送信する。そして、この制御信号を制御信号伝送部３２で受信したカメラ子器３Ｃでは、制御部３４がカメラ部３０及び映像信号送信部３１を起動して映像信号を自器のタイムスロットで伝送路Ｌｓ３を介して親機１に送信する。その結果、親機１では、カメラ子器３Ｃのカメラ部３０で撮像した映像をモニタ部１１に表示して映像モニタを行うことができる。なお、副親機４Ａ〜４Ｄで映像モニタを行う場合、対象のドアホン子器２Ａ〜２Ｃ又はカメラ子器３Ａ〜３Ｃを指定した映像モニタの開始要求を含む制御信号を副親機４Ａ〜４Ｄから親機１へ送信することにより、指定した子器に対して親機１が映像信号の伝送を行わせ、親機１を経由してドアホン子器２Ａ〜２Ｃ又はカメラ子器３Ａ〜３Ｃから映像信号を受け取って副親機４Ａ〜４Ｄのモニタ部４１に映像を表示することができる。尚、親機１並びに副親機４Ａ〜４Ｄにおいて制御信号を伝送する制御信号伝送部１４，４３のハードウェアを、音声信号処理部１０，４０における音声信号伝送用のハードウェアと共用しても構わない。
【００２８】
次に、本発明（請求項４に係る発明）の要旨である親機１の多重分離部１５の構成について説明する。
【００２９】
図１は親機１の要部を示すブロック図である。音声信号処理部１０にはディジタル変調した音声信号を送信する音声信号送信部１０１と、ディジタル変調された音声信号を受信する音声信号受信部１０２とが設けてあり、映像信号処理部１２にはディジタル変調された映像同期信号を送信する同期信号送信部１２１と、ディジタル変調された映像信号を受信する映像信号受信部１２２とが設けてある。
【００３０】
多重分離部１５は、一端側が子器（ドアホン子器２Ａ〜２Ｃ並びにカメラ子器３Ａ〜３Ｃ）の伝送路Ｌｓ１〜Ｌｓ３と接続され他端側が音声信号送信部１０１及び音声信号受信部１０２に共通接続された第１の子器側干渉防止フィルタＦ１１と、音声信号送信部１０１と音声信号受信部１０２の接続点と音声信号受信部１０２との間に設けられて音声信号を分離する音声信号分離フィルタＦ１２と、音声信号送信部１０１と音声信号受信部１０２の接続点と音声信号送信部１０１との間に設けられた第１の可変インピーダンス素子Ｚ１と、一端側が子器の伝送路Ｌｓ１〜Ｌｓ３と接続され他端側が同期信号送信部１２１及び映像信号受信部１２２に共通接続された第２の子器側干渉防止フィルタＦ２１と、同期信号送信部１２１と映像信号受信部１２２の接続点と映像信号受信部１２２との間に設けられて映像信号及び同期信号を音声信号と分離する映像信号分離フィルタＦ２２と、同期信号送信部１２１と映像信号受信部１２２の接続点と同期信号送信部１２１との間に設けられた第２の可変インピーダンス素子Ｚ２と、一端側が副親機の伝送路Ｌｓ４と接続され他端側が音声信号送信部１０１及び音声信号受信部１０２に共通接続された第１の副親機側干渉防止フィルタＦ３１と、一端側が副親機の伝送路Ｌｓ４と接続され他端側が同期信号送信部１２１及び映像信号受信部１２２に共通接続された第２の副親機側干渉防止フィルタＦ３２と、音声信号送信部１０１が音声信号を送信しているときに第１の可変インピーダンス素子Ｚ１のインピーダンスを伝送路Ｌｓｎ（ｎ＝１，２，３，４）の特性インピーダンス以下とし、同期信号送信部１２１が同期信号を送信しているときに第２の可変インピーダンス素子Ｚ２のインピーダンスを伝送路Ｌｓｎの特性インピーダンス以下とし、音声信号受信部１０２が音声信号を受信しているときに第１の可変インピーダンス素子Ｚ１のインピーダンスを伝送路Ｌｓｎの特性インピーダンスよりも高くし、映像信号受信部１２２が映像信号を受信しているときに第２の可変インピーダンス素子Ｚ２のインピーダンスを伝送路Ｌｓｎの特性インピーダンスよりも高くするインピーダンス制御手段とを有している。但し、本実施形態においては、音声信号送信部１０１並びに同期信号送信部１２１がそれぞれ第１の可変インピーダンス素子Ｚ１，第２の可変インピーダンス素子Ｚ２のインピーダンスを増減させてインピーダンス制御手段の機能を実現している。
【００３１】
また、第１の子器側干渉防止フィルタＦ１１並びに第１の副親機側干渉防止フィルタＦ３１は音声信号の周波数帯域を通過域に含み且つ映像信号及び同期信号の周波数帯域を阻止域に含む帯域通過フィルタからなり、第２の子器側干渉防止フィルタＦ２１並びに第２の副親機側干渉防止フィルタＦ３２は音声信号の周波数帯域を阻止域に含み且つ映像信号及び同期信号の周波数帯域を通過域に含む帯域阻止フィルタからなり、音声信号分離フィルタＦ１２は音声信号の周波数帯域を通過域に含み且つ映像信号及び同期信号の周波数帯域を阻止域に含む低域通過フィルタからなり、映像信号分離フィルタＦ２２は映像信号及び同期信号の周波数帯域を通過域に含み且つ音声信号の周波数帯域を阻止域に含む高域通過フィルタからなる。尚、制御信号については音声信号や映像信号の周波数帯域よりも充分に低い周波数帯域で伝送しているため、低次の低域通過フィルタ等で容易に多重及び分離することができる。また、図示並びに説明は省略するが、ドアホン子器２Ａ〜２Ｃ並びに副親機４Ａ〜４Ｄの多重分離部２３，４４も親機１の多重分離部１５と共通の構成を有している。
【００３２】
続いて、親機１における多重分離部１５の動作について説明する。まず、図３（ａ）に示すように親機１から音声信号を送信すると同時にドアホン子器２Ａ〜２Ｃから送信された映像信号を受信する場合について説明する。この場合、音声信号送信部１０１が第１の可変インピーダンス素子Ｚ１のインピーダンスを伝送路ＬＳｎの特性インピーダンス以下とすることで第１の子器側干渉防止フィルタＦ１１（並びに第１の副親機側干渉防止フィルタＦ３１）のフィルタ特性が急峻となって音声信号の帯域外への干渉を除去することができ、また、同期信号送信部１２１が第２の可変インピーダンス素子Ｚ２のインピーダンスを伝送路ＬＳｎの特性インピーダンスよりも高くすることで映像信号の減衰を抑えることができる。そして、第１の子器側干渉防止フィルタＦ１１（並びに第１の副親機側干渉防止フィルタＦ３１）によって映像信号の周波数帯域への音声信号の干渉が除去されているため、親機１（並びに副親機４Ａ〜４Ｄ）では低次の高域通過フィルタからなる映像信号分離フィルタＦ２２で映像信号を分離することができる。
【００３３】
また、図３（ｂ）に示すように親機１からドアホン子器２Ａ〜２Ｃへ同期信号を送信すると同時に親機１から当該ドアホン子器２Ａ〜２Ｃへ音声信号を送信する場合について説明する。この場合、音声信号送信部１０１並びに同期信号送信部１２１がそれぞれ第１並びに第２の可変インピーダンス素子Ｚ１，Ｚ２のインピーダンスを伝送路ＬＳｎの特性インピーダンス以下とすることで第１及び第２の子器側干渉防止フィルタＦ１１，Ｆ２１（並びに第１及び第２の副親機側干渉防止フィルタＦ３１，Ｆ３２）のフィルタ特性が急峻となって音声信号及び同期信号の各帯域外への干渉を除去することができる。
【００３４】
さらに、図３（ｃ）に示すようにドアホン子器２Ａ〜２Ｃから送信された音声信号を親機１で受信すると同時に当該ドアホン子器２Ａ〜２Ｃから送信された映像信号を親機１で受信する場合について説明する。この場合、音声信号送信部１０１並びに同期信号送信部１２１がそれぞれ第１並びに第２の可変インピーダンス素子Ｚ１，Ｚ２のインピーダンスを伝送路ＬＳｎの特性インピーダンスよりも高くすることで音声信号並びに映像信号の減衰を抑えることができ、しかも、音声信号と映像信号は、図３（ｂ）を参照して説明したように送信元のドアホン子器２Ａ〜２Ｃの多重分離部２３において互いに干渉を除去して多重化されているから、低次の低域通過フィルタからなる音声信号分離フィルタＦ１２並びに映像信号分離フィルタＦ２２で分離することができる。
【００３５】
最後に、図３（ｄ）に示すようにドアホン子器２Ａ〜２Ｃから送信された音声信号を親機１で受信すると同時に親機１から同期信号を送信する場合について説明する。この場合、音声信号送信部１０１が第１の可変インピーダンス素子Ｚ１のインピーダンスを伝送路ＬＳｎの特性インピーダンスよりも高くすることで音声信号の減衰を抑えることができ、また、同期信号送信部１２１が第２の可変インピーダンス素子Ｚ２のインピーダンスを伝送路ＬＳｎの特性インピーダンス以下とすることで第２の子器側干渉防止フィルタＦ２１（並びに第２の副親機側干渉防止フィルタＦ３２）のフィルタ特性が急峻となって同期信号の帯域外への干渉を除去することができる。尚、ドアホン子器２Ａ〜２Ｃ並びに副親機４Ａ〜４Ｄの多重分離部２３，４３の動作については、基本的に親機１と共通であるから説明は省略する。
【００３６】
而して、本実施形態では音声信号並びに同期信号を送信する際に第１及び第２の可変インピーダンス素子Ｚ１，Ｚ２のインピーダンスを伝送路ＬＳｎの特性インピーダンス以下とすることで音声信号分離フィルタＦ１２並びに映像信号分離フィルタＦ２２のフィルタ特性を急峻として音声信号並びに同期信号の帯域外への干渉を除去しているので、音声信号送信部１０１び同期信号送信部１２１には信号分離用のフィルタが不要となって回路規模やコストの増大を抑えることができ、また、音声信号受信部１０２及び映像信号受信部１２２がそれぞれ音声信号及び映像信号を受信するときにインピーダンス制御手段が当該受信部に接続されている第１及び第２の可変インピーダンス素子Ｚ１，Ｚ２のインピーダンスを伝送路ＬＳｎの特性インピーダンスよりも高くすることで信号の減衰を抑えることができる。その結果、回路規模やコストの増大並びに信号の減衰を抑えつつ音声信号と映像信号及び同期信号を周波数分割多重伝送することができる。
【００３７】
次に、本発明（請求項１〜３に係る発明）の要旨について説明する。
【００３８】
上述したように本実施形態では、映像信号と音声信号をディジタル変調し且つ映像信号と音声信号及び制御信号とを互いに異なる周波数帯域で周波数分割多重伝送しているが、音声信号をディジタル変調せずに伝送する従来方式（アナログ伝送方式）の子器（ドアホン子器）や副親機との間で音声信号及び制御信号を伝送するための構成を親機１に備えている点に特徴がある。以下では、ディジタル変調されて伝送される音声信号並びに制御信号をそれぞれ第１の音声信号並びに第１の制御信号と呼ぶこととし、アナログ伝送方式で伝送される音声信号並びに第１の制御信号と異なる制御信号をそれぞれ第２の音声信号並びに第２の制御信号と呼ぶことにする。また、第２の音声信号及び第２の制御信号は、何れも第１の音声信号及び第１の制御信号が伝送される周波数帯域よりも充分に低い周波数帯域で伝送される。
【００３９】
本実施形態における親機１は、図１に示すように３つの伝送路Ｌｓ１〜Ｌｓ３を介してアナログ伝送方式を採用する子器（図示せず）との間で伝送される第２の音声信号及び第２の制御信号をそれぞれ周波数多重化するとともに分離する３つの多重分離部８０1，８０2，８０3と、２線４線変換部８３と、２線４線変換手段８３と音声信号処理部１０との間に挿入されるＡ／Ｄ変換部８４と、３つの多重分離部８０1〜８０3を２線４線変換部８３に択一的に切り換えて接続する切換部８１と、伝送路Ｌｓ４を介してアナログ伝送方式の副親機（図示せず）との間で伝送される第２の音声信号及び第２の制御信号をそれぞれ周波数多重化するとともに分離する多重分離部８２と、多重分離部８０1〜８０3，８２に接続されて第２の制御信号を伝送する制御信号伝送部８５と、多重分離部８０1〜８０3，８２に接続され、伝送路Ｌｓ１〜Ｌｓ４を介して子器や副親機に直流電源を供給する給電部８６とを備えている。尚、図１では制御信号伝送部８５及び給電部８６が切換部８１を介して多重分離部８０1〜８０3と接続されているが、切換部８１によって３つの多重分離部８０1〜８０3と択一的に切換接続されるのは２線４線変換部８３のみであって、制御信号伝送部８５及び給電部８６については常に３つの多重分離部８０1〜８０3と接続された状態にある。
【００４０】
一方、親機１の制御部１７は、伝送路Ｌｓ１〜Ｌｓ３に接続されている子器の種類（ディジタル伝送方式の子器２又はアナログ伝送方式の子器）をそれぞれの子器に割り当てられている固有の識別符号によって識別するとともに、伝送路Ｌｓ４に接続されている副親機の種類（ディジタル伝送方式の副親機４又はアナログ伝送方式の副親機）をそれぞれの副親機に割り当てられている固有の識別符号（ＩＤ）によって識別している。そして、アナログ伝送方式の子器と親機１との間で通話する場合、制御部１７は、切換部８１を切り換えることで当該子器と接続されている何れかの多重分離部８０1，８０2，８０3に２線４線変換部８３を接続することで音声信号処理部１０からＡ／Ｄ変換部８４、２線４線変換部８３、切換部８１並びに何れかの多重分離部８０1〜８０3を介して当該アナログ伝送方式の子器との間に通話路を形成する。同様に、アナログ伝送方式の副親機と親機１との間で通話する場合、制御部１７は音声信号処理部１０からＡ／Ｄ変換部８４、２線４線変換部８３並びに多重分離部８２を介して当該アナログ伝送方式の副親機との間に通話路を形成する。
【００４１】
上述のように本実施形態によれば、親機１にアナログ伝送方式の子器及び副親機との間で音声信号（第２の音声信号）及び制御信号（第２の制御信号）を伝送するための構成を備えているので、第１の音声信号及び第１の制御信号を伝送する子器２や副親機４だけでなく、第１の音声信号及び第１の制御信号を伝送する周波数帯域（第２の周波数帯域）と異なる周波数帯域（第３の周波数帯域）で第２の音声信号及び第２の制御信号を伝送する子器や副親機も使用可能として使い勝手を向上することができるものである。
【図面の簡単な説明】
【００４２】
【図１】本発明の実施形態における親機の要部ブロック図である。
【図２】同上のインターホンシステムのシステム構成図である。
【図３】（ａ）〜（ｄ）は同上の動作説明図である。
【符号の説明】
【００４３】
１  親機
２  子器
４  副親機
８０1〜８０3  多重分離部
８１  切換部
８２  多重分離部
８３  ２線４線変換部
８４  Ａ／Ｄ変換部
【図１】
2009302855.tif 000003
【図２】
2009302855.tif 000004
【図３】
2009302855.tif 000005